【手続補正書】
【提出日】平成20年1月16日(2008.1.16)
【手続補正１】
【補正対象書類名】明細書
【補正対象項目名】特許請求の範囲
【補正方法】変更
【補正の内容】
【特許請求の範囲】
【請求項１】  高レベルの印刷信号（３２）を受信し、それに応答して印刷データと印刷データレジスタアドレスの両方を出力する手段（３０）と、
前記印刷データおよび前記印刷データレジスタアドレスを受信し、それに応答して制御信号（４０）を出力して、制御された態様で印刷液体の吐出を行う手段（３６）と
を含むプリンタのインターフェース。
【請求項２】  高レベルの印刷信号（３２）を受信し、それに応答して、印刷データと印刷データレジスタアドレスとを含む中間レベルのインターフェース通信信号（３４）を出力する手段（３０）と、
前記中間レベルのインターフェース通信信号（３４）を受信し、それに応答して、インクジェットのプリントヘッド（２６）の印刷動作を直接行う低レベルの離散的動作の制御信号（４０）を供給する手段（３６）と
を含むプリンタのインターフェース。
【請求項３】  プリンタ（１０）が信号源から受信した高レベルの印刷信号（３２）を変換し、それに応答して、前記プリンタ（１０）の動作を行う制御信号（４０）を供給する、プリンタ装置（１０）において、
ホストコンピュータユニットから通信している高レベルの印刷信号（３２）を受信し、それに応答して、印刷データと印刷データレジスタアドレスとを含む中間レベルのインターフェース通信信号（３４）を出力する、印刷フォーマッタ回路手段（３０）と、
前記印刷フォーマッタ回路（３０）からの前記出力を受信し、それに応答して、プリントヘッド（２６）の印刷動作を制御する低レベルの離散的制御信号（４０）を供給する、プリントヘッド制御装置回路手段（３６）と
を含むプリンタ装置。
【請求項４】  前記プリントヘッド制御装置回路手段（３６）は、前記中間レベルのインターフェース通信信号（３４）を前記低レベルの制御信号（４０）に変換する機能、命令、およびアルゴリズム（４６−６６）を含む特定用途向け集積回路（ＡＳＩＣ）（３８）を含む、請求項３記載のプリンタ装置。
【請求項５】  前記ＡＳＩＣ（３８）は、現在前記プリンタ内に取り付けられているプリントヘッドのタイプの識別をすることができる機能（６０）を含む、請求項４記載のプリンタ装置。
【請求項６】  前記プリントヘッド制御装置回路のＡＳＩＣ（３８）は更に、前記プリントヘッド制御装置回路（３６）が前記プリントヘッド（２６）の温度を制御することができるようにしている、請求項３記載のプリンタ装置。
【請求項７】  前記プリントヘッド（２６）は複数の印刷オリフィス（２８）を含み、前記ＡＳＩＣ（３８）は、該複数のオリフィス（２８）のうちの、そこからインクが噴出される特定の１つを示す、「ｏｒｉｆｉｃｅ  ｓｅｌｅｃｔ」信号を供給する、請求項３記載のプリンタ装置。
【請求項８】  前記中間レベルの通信インターフェース（３４）は、前記印刷フォーマッタ回路（３０）と前記プリントヘッド制御装置回路（３６）との間の排他的通信を行う、請求項３記載のプリンタ装置。
【請求項９】  高レベルの印刷信号（３２）を受信し、それに応答して印刷データと印刷データレジスタアドレスの両方を出力する段階と、
前記印刷データおよび前記印刷データレジスタアドレスを受信し、それに応答して制御信号（４０）を出力して、制御された態様で印刷液体の吐出を行う段階と
を含む印刷方法。
【請求項１０】  高レベルの印刷信号（３２）を受信し、それに応答して、印刷データと印刷データレジスタアドレスとを含む中間レベルのインターフェース通信信号（３４）を出力する段階と、
前記中間レベルのインターフェース通信信号（３４）を受信し、それに応答して、インクジェットのプリントヘッド（２６）の印刷動作を直接行う低レベルの離散的動作の制御信号（４０）を供給する段階と
を含む印刷方法。
【請求項１１】  そこから印刷液体が個々に印刷媒体（１８）上に選択的に噴出される複数のオリフィス（２８）を有するインクジェットのプリントヘッド（２６）でのインクジェット印刷の方法において、
高レベルの印刷信号（３２）を受信し、それに応答して、印刷データと印刷データレジスタアドレスの両方を出力する、印刷フォーマッタ回路（３０）を設ける段階と、
前記印刷データおよび前記印刷データレジスタアドレスを受信し、それに応答して、そこからの印刷液体の噴出を行う制御信号（４０）を前記プリントヘッド（２６）に出力する、プリントヘッド制御装置回路（３６）を設ける段階と
を含む方法。
【請求項１２】  前記プリントヘッド制御装置回路（３６）に特定用途向け集積回路（ＡＳＩＣ）（３８）を設ける段階を更に含む、請求項１１記載の方法。
【請求項１３】  前記ＡＳＩＣ（３８）が前記プリンタ（１０）から取り外せるようにし、アップデートした新しいＡＳＩＣと交換できるようにする段階を更に含む、請求項１２記載の方法。
【請求項１４】  前記制御信号に「ｏｒｉｆｉｃｅ  ｓｅｌｅｃｔ」信号（４６）を含み、該「ｏｒｉｆｉｃｅ  ｓｅｌｅｃｔ」信号（４６）を利用して、前記プリントヘッド（２６）の前記複数のオリフィス（２８）の中から、そこから印刷液体が個々に噴出される単一のオリフィス（２８）を選択する段階を更に含む、請求項１１記載の方法。
【請求項１５】  前記制御信号に「ｅｎｅｒｇｙ  ｄｉｓｓｉｐａｔｉｏｎ」制御信号（４８）を含み、該「ｅｎｅｒｇｙ  ｄｉｓｓｉｐａｔｉｏｎ」制御信号（４８）を利用して、そこから印刷液体を噴出する前記選択した単一のオリフィス（２８）において提供されるエネルギーレベルを制御する段階を更に含む、請求項１４記載の方法。
【請求項１６】  前記制御信号に「ｔｅｍｐｅｒａｔｕｒｅ  ｌｅｖｅｌ  ｉｎｔｅｒｒｏｇａｔｉｏｎ」信号（５２）を含み、該「ｔｅｍｐｅｒａｔｕｒｅ  ｌｅｖｅｌ  ｉｎｔｅｒｒｏｇａｔｉｏｎ」信号（５２）を利用して、前記プリントヘッド（２６）の動作の温度を評価する段階を更に含む、請求項１４記載の方法。
【請求項１７】  信号源から高レベルの印刷信号（３２）を受信し、それに応答して、プリンタ（１０）の動作を行う制御信号（４０）を供給する、インクジェット印刷装置（１０）の動作方法において、
前記高レベルの印刷信号（３２）を受信し、それに応答して、印刷データと印刷データレジスタアドレスとを含む中間レベルのインターフェース通信信号（３４）を出力する、印刷フォーマッタ回路手段（３０）を設ける段階と、
前記中間レベルのインターフェース通信信号（３４）を受信し、それに応答して、インクジェットのプリントヘッド（２６）の印刷動作を直接行う低レベルの離散的動作の制御信号（４０）を供給する段階と
を含む方法。
【請求項１８】  プリントヘッド制御装置回路手段（３６）を、前記中間レベルのインターフェース通信信号（３４）を前記低レベルの制御信号（４０）に変換する機能、命令、およびアルゴリズム（４６−６６）を含む特定用途向け集積回路（ＡＳＩＣ）（３８）を含むように構成する段階を更に含む、請求項１７記載の方法。
【請求項１９】  前記ＡＳＩＣ（３８）を、前記印刷装置（１０）から取り外し可能にし、前記印刷装置（１０）が代わりのＡＳＩＣを受け入れ利用するようにする段階を更に含む、請求項１８記載の方法。
【請求項２０】  前記ＡＳＩＣ（３８）が、Ｎｏｚｚｌｅ＿ｓｅｌｅｃｔ（４６）、Ｅｎｅｒｇｙ＿ｍａｎａｇｅｍｅｎｔ（４８）、Ｅｎｃｏｄｅｒ＿ｓｉｇｎａｌ（５０）、Ｔｅｍｐｅｒａｔｕｒｅ＿ｍａｎａｇｅｍｅｎｔ（５２）、Ｈｏｒｉｚｏｎｔａｌ＿ａｌｉｇｎｍｅｎｔ（５４）、Ｖｅｒｔｉｃａｌ＿ａｌｉｇｎｍｅｎｔ（５６）、およびＴｉｍｉｎｇ＿ｃｏｎｔｒｏｌ（５８）からなるグループから選択した機能を含むようにする段階を更に含み、Ｎｏｚｚｌｅ＿ｓｅｌｅｃｔ（４６）の機能は、前記インクジェットのプリントヘッド（２６）に、複数のノズル（２８）のうちのどれが印刷液体の微小なジェットを吐出するかを通知し、Ｅｎｅｒｇｙ＿ｍａｎａｇｅｍｅｎｔ（４８）の機能は、前記複数のノズル（２８）のうちの選択した１つにおいて散逸される電力量を調整し、Ｅｎｃｏｄｅｒ＿ｓｉｇｎａｌ（５０）の機能は、前記プリントヘッド（２６）の横方向の位置および移動方向を供給し、Ｔｅｍｐｅｒａｔｕｒｅ＿ｍａｎａｇｅｍｅｎｔ（５２）の機能は、前記プリントヘッド（２６）の温度を監視し、Ｈｏｒｉｚｏｎｔａｌ＿ａｌｉｇｎｍｅｎｔ（５４）の機能は、前記プリントヘッド（２６）を印刷媒体（１８）上に横方向に整列させるように、前記インクジェット印刷装置（１０）のプリントヘッド横断機構（２４）に命令し、Ｖｅｒｔｉｃａｌａｌ＿ａｌｉｇｎｍｅｎｔ（５６）の機能は、印刷経路（２２）に沿って前記印刷媒体（１８）を整列させるように、前記印刷装置（１０）の印刷媒体送り機構（１６）に命令し、Ｔｉｍｉｎｇ＿ｃｏｎｔｒｏｌ（５８）の機能は、前記印刷媒体送り機構１６の移動、前記プリントヘッド横断機構（２４）の移動、およびその他の印刷事象を同期させる、請求項１８記載の方法。
【請求項２１】  前記ＡＳＩＣ（３８）が、Ｐｒｉｎｔｈｅａｄ＿ｉｄｅｎｔｉｆｉｅｒ（６０）、Ｒｅｓｅｔ＿ｓｅｑｕｅｎｃｉｎｇ（６２）、Ｃｏｎｔｉｎｕｉｔｙ＿ｔｅｓｔｉｎｇ（６４）、およびＰｒｉｎｔｈｅａｄ＿ｃｌｅａｎｉｎｇ（６６）からなるグループから選択した機能を含むようにする段階を更に含み、Ｐｒｉｎｔｈｅａｄ＿ｉｄｅｎｔｉｆｉｅｒ（６０）の機能は、前記印刷装置（１０）内に取り付けられた特定のプリントヘッド（２６）を識別し、そのプリントヘッド（２６）について用いる正しい命令の組の指示を行い、Ｒｅｓｅｔ＿ｓｅｑｕｅｎｃｉｎｇ（６２）の機能は、必要ならば前記プリントヘッド（２６）を初期開始状態にリセットし、Ｃｏｎｔｉｎｕｉｔｙ＿ｔｅｓｔｉｎｇ（６４）の機能は、前記プリントヘッド制御装置回路（３６）と前記プリントヘッド（２６）との間の電気的インターフェースを照合し、Ｐｒｉｎｔｈｅａｄ＿ｃｌｅａｎｉｎｇ（６６）の機能によって、前記プリントヘッド制御装置回路（３６）が、所定強度のインクジェット噴出を発射することによって、前記プリントヘッド（２６）のノズル（２８）をクリーニングする、請求項２０記載の方法。
【請求項２２】  前記印刷フォーマッタ回路（３０）と前記プリントヘッド制御装置回路（３６）との間の前記中間レベルの通信インターフェース（３４）を、前記回路（３０、３６）間のデータ、アドレス、命令、および情報信号の排他的通信として利用する段階を更に含む、請求項１７記載の方法。